(57)【要約】【課題】患者の状態又は治療の状態に応じて血液浄化治療中における運動を適切なタイミングで開始させることができる運動支援装置を提供する。【解決手段】血液浄化治療中に患者が行う運動を支援し得る運動支援装置であって、患者の状態又は治療の状態に応じて個々の血液浄化治療毎に運動開始タイミングを通知可能な通知手段６を具備するとともに、液浄化治療開始後における患者の循環動態を示すパラメータを入力可能な入力手段４と、入力手段４にて入力されたパラメータが安定したことを判断する判断手段５とを具備し、通知手段６は、判断手段５による判断に基づいて運動開始タイミングを通知し得るものである。【選択図】図１
2018089249.tif 000002
【特許請求の範囲】
【請求項１】
血液浄化治療中に患者が行う運動を支援し得る運動支援装置であって、
患者の状態又は治療の状態に応じて個々の血液浄化治療毎に運動開始タイミングを通知可能な通知手段を具備したことを特徴とする運動支援装置。
【請求項２】
前記血液浄化治療開始後における患者の循環動態を示すパラメータを入力可能な入力手段と、
該入力手段にて入力されたパラメータが安定したことを判断する判断手段と、
を具備し、前記通知手段は、前記判断手段による判断に基づいて前記運動開始タイミングを通知し得ることを特徴とする請求項１記載の運動支援装置。
【請求項３】
前記判断手段は、前記入力手段に入力されたパラメータ又はそのパラメータの変化率が所定範囲内を継続的に推移したことを条件として当該パラメータが安定したと判断し、前記通知手段にて前記運動開始タイミングを通知させ得ることを特徴とする請求項２記載の運動支援装置。
【請求項４】
前記入力手段に入力されるパラメータは、患者の循環血液量の変化に関わるパラメータ、患者のバイタルサインに関わるパラメータ、又は血液浄化治療に関わるパラメータから成ることを特徴とする請求項２又は請求項３記載の運動支援装置。
【請求項５】
前記入力手段に入力されるパラメータは、血液浄化治療を行うための血液浄化装置に備えられたセンサにて検出されることを特徴とする請求項２〜４の何れか１つに記載の運動支援装置。
【請求項６】
患者のバイタルサインに関わるパラメータを検出するための検出手段を具備したことを特徴とする請求項１〜５の何れか１つに記載の運動支援装置。
【発明の詳細な説明】
【技術分野】
【０００１】
本発明は、血液浄化治療中に患者が行う運動を支援し得る運動支援装置に関するものである。
【背景技術】
【０００２】
近年、血液浄化治療（例えば血液透析治療）中の患者に対して運動を行わせる場合があり、かかる血液浄化治療中の運動により、透析効率を向上させる効果が期待されている。血液透析治療中は、患者の血液を体外循環させているため、運動の種類が制限されており、例えばベッドに固定した下肢エルゴメータを利用した有酸素運動、ベッドに固定した足踏みペダルを利用した有酸素運動、セラバンドを用いた主に下肢を中心とした筋力トレーニング、バランスボールを用いた下肢を中心とした筋力トレーニング等が主に行われている。なお、かかる先行技術は、文献公知発明に係るものでないため、記載すべき先行技術文献情報はない。
【発明の概要】
【発明が解決しようとする課題】
【０００３】
上記従来技術においては、以下のような問題があった。
血液浄化治療が行われる患者は、運動耐容能が低いことから、安全性を確保するために運動強度を低或いは中程度に設定するとともに、患者が極めてきついと感じない程度の運動強度に設定する必要がある。しかしながら、医師等医療従事者による巡回で運動中の患者の状態を確認するにとどまっているのが現状とされており、安全性を向上させつつ血液浄化治療中の運動を行わせることができる運動支援装置が望まれている。
【０００４】
また、従来、例えば血液浄化治療の開始から所定時間（例えば３０分程度）が経過すると、医師等医療従事者の合図により運動が開始されるものとされていたが、この場合、運動開始時間が一律とされているため、患者の状態や治療の状態を一切考慮せず運動を開始せざるを得ないという問題があった。
【０００５】
本発明は、このような事情に鑑みてなされたもので、患者の状態又は治療の状態に応じて血液浄化治療中における運動を適切なタイミングで開始させることができる運動支援装置を提供することにある。
【課題を解決するための手段】
【０００６】
請求項１記載の発明は、血液浄化治療中に患者が行う運動を支援し得る運動支援装置であって、患者の状態又は治療の状態に応じて個々の血液浄化治療毎に運動開始タイミングを通知可能な通知手段を具備したことを特徴とする。
【０００７】
請求項２記載の発明は、請求項１記載の運動支援装置において、前記血液浄化治療開始後における患者の循環動態を示すパラメータを入力可能な入力手段と、該入力手段にて入力されたパラメータが安定したことを判断する判断手段とを具備し、前記通知手段は、前記判断手段による判断に基づいて前記運動開始タイミングを通知し得ることを特徴とする。
【０００８】
請求項３記載の発明は、請求項２記載の運動支援装置において、前記判断手段は、前記入力手段に入力されたパラメータ又はそのパラメータの変化率が所定範囲内を継続的に推移したことを条件として当該パラメータが安定したと判断し、前記通知手段にて前記運動開始タイミングを通知させ得ることを特徴とする。
【０００９】
請求項４記載の発明は、請求項２又は請求項３記載の運動支援装置において、前記入力手段に入力されるパラメータは、患者の循環血液量の変化に関わるパラメータ、患者のバイタルサインに関わるパラメータ、又は血液浄化治療に関わるパラメータから成ることを特徴とする。
【００１０】
請求項５記載の発明は、請求項２〜４の何れか１つに記載の運動支援装置において、前記入力手段に入力されるパラメータは、血液浄化治療を行うための血液浄化装置に備えられたセンサにて検出されることを特徴とする。
【００１１】
請求項６記載の発明は、請求項１〜５の何れか１つに記載の運動支援装置において、患者のバイタルサインに関わるパラメータを検出するための検出手段を具備したことを特徴とする。
【発明の効果】
【００１２】
請求項１の発明によれば、患者の状態又は治療の状態に応じて個々の血液浄化治療毎に運動開始タイミングを通知可能な通知手段を具備したので、患者の状態又は治療の状態に応じて血液浄化治療中における運動を適切なタイミングで開始させることができる。
【００１３】
請求項２の発明によれば、血液浄化治療開始後における患者の循環動態を示すパラメータを入力可能な入力手段と、該入力手段にて入力されたパラメータが安定したことを判断する判断手段とを具備し、通知手段は、判断手段による判断に基づいて運動開始タイミングを通知し得るので、より適切なタイミングで運動を開始させることができる。
【００１４】
請求項３の発明によれば、判断手段は、入力手段に入力されたパラメータ又はそのパラメータの変化率が所定範囲内を継続的に推移したことを条件として当該パラメータが安定したと判断し、通知手段にて運動開始タイミングを通知させ得るので、運動開始タイミングを的確に通知することができる。
【００１５】
請求項４の発明によれば、入力手段に入力されるパラメータは、患者の循環血液量の変化に関わるパラメータ、患者のバイタルサインに関わるパラメータ、又は血液浄化治療に関わるパラメータから成るので、運動開始タイミングをより的確に通知することができる。
【００１６】
請求項５の発明によれば、入力手段に入力されるパラメータは、血液浄化治療を行うための血液浄化装置に備えられたセンサにて検出されるので、治療のためのセンサを流用して運動開始タイミングの通知を行わせることができる。
【００１７】
請求項６の発明によれば、患者のバイタルサインに関わるパラメータを検出するための検出手段を具備したので、運動開始タイミングを通知する際、患者の状態をより的確に把握させることができる。
【図面の簡単な説明】
【００１８】
【図１】本発明の第１の実施形態に係る運動支援装置を示すブロック図
【図２】同運動支援装置に適用される血液透析装置の概要を示す模式図
【図３】同血液浄化装置における装置本体の構成を示す模式図
【図４】患者の循環血液量変化率の推移が安定状態と判断されるグラフ
【図５】患者の循環血液量変化率の推移が安定状態と判断されないグラフ
【図６】同運動支援装置による制御内容を示すフローチャート
【図７】同運動支援装置による制御内容を示すフローチャート
【図８】本発明の第２の実施形態に係る運動支援装置を示すブロック図
【図９】同運動支援装置による制御内容を示すフローチャート
【図１０】同運動支援装置による制御内容を示すフローチャート
【図１１】本発明の第３の実施形態に係る運動支援装置を示すブロック図
【図１２】排液濃度が安定状態と判断されるグラフ
【図１３】排液濃度が安定状態と判断されないグラフ
【発明を実施するための形態】
【００１９】
以下、本発明の実施形態について図面を参照しながら具体的に説明する。
第１の実施形態に係る運動支援装置は、血液浄化治療中に患者が行う運動を支援し得るもので、図１に示すように、血液浄化治療（透析治療）を行うための血液透析装置１に配設されたブラッドボリューム計２及び血圧計３と、運動手段Ｓと、入力手段４と、判断手段５と、通知手段６と、監視手段７とを有して構成されている。
【００２０】
本実施形態に適用される血液透析装置１は、図２、３に示すように、患者の血液を体外循環させるための血液回路８と、該血液回路８に接続されて血液透析処理を行うためのダイアライザ９と、該ダイアライザ９に接続されて透析液を供給しつつ除水する透析装置本体１２とから主に構成されている。なお、血液回路８は、同図に示すように、可撓性チューブから成る動脈側血液回路８ａ及び静脈側血液回路８ｂから主に構成されており、これら動脈側血液回路８ａと静脈側血液回路８ｂの間にダイアライザ９が接続されている。
【００２１】
動脈側血液回路８ａには、その先端に動脈側穿刺針ａが接続されているとともに、途中にしごき型の血液ポンプ１０、ヘマトクリットセンサ１５が配設されている。一方、静脈側血液回路８ｂには、その先端に静脈側穿刺針ｂが接続されているとともに、途中に除泡用のエアトラップチャンバ１１が接続されている。なお、本明細書においては、血液を脱血（採血）する穿刺針の側を「動脈側」と称し、血液を返血する穿刺針の側を「静脈側」と称しており、「動脈側」及び「静脈側」とは、穿刺の対象となる血管が動脈及び静脈の何れかによって定義されるものではない。
【００２２】
そして、動脈側穿刺針ａ及び静脈側穿刺針ｂを患者に穿刺した状態で、血液ポンプ１０を駆動させると、患者の血液は、動脈側血液回路８ａを通ってダイアライザ９に至り、該ダイアライザ９によって血液浄化が施され、エアトラップチャンバ１１で除泡がなされつつ静脈側血液回路８ｂを通って患者の体内に戻る。このように、患者の血液を血液回路８にて体外循環させつつダイアライザ９にて浄化するのである。
【００２３】
ダイアライザ９は、その筐体部に、血液導入ポート９ａ、血液導出ポート９ｂ、透析液導入ポート９ｃ及び透析液導出ポート９ｄが形成されており、このうち血液導入ポート９ａには動脈側血液回路８ａの基端が、血液導出ポート９ｂには静脈側血液回路８ｂの基端がそれぞれ接続されている。また、透析液導入ポート９ｃ及び透析液導出ポート９ｄは、透析装置本体１２から延設された透析液導入ラインＬ１及び透析液排出ラインＬ２とそれぞれ接続されている。
【００２４】
ダイアライザ９内には、複数の中空糸が収容されており、該中空糸内部が血液の流路とされるとともに、中空糸外周面と筐体部の内周面との間が透析液の流路とされている。中空糸には、その外周面と内周面とを貫通した微少な孔（ポア）が多数形成されて中空糸膜を形成しており、該膜を介して血液中の不純物等が透析液内に透過し得るよう構成されている。
【００２５】
一方、透析装置本体１２は、図３に示すように、透析液導入ラインＬ１及び透析液排出ラインＬ２に跨って形成された複式ポンプＰと、透析液排出ラインＬ２において複式ポンプＰを迂回して接続されたバイパスラインＬ３と、該バイパスラインＬ３に接続された除水ポンプ１４とから主に構成されている。そして、複式ポンプＰを駆動させることにより、透析液供給装置１３から供給された透析液が透析液導入ラインＬ１を通ってダイアライザ９に至った後、透析液排出ラインＬ２及びバイパスラインＬ３を通って装置外部に排出されるようになっている。
【００２６】
除水ポンプ１４は、ダイアライザ９中を流れる患者の血液から水分を除去して除水を施すためのものである。かかる除水ポンプ１４を駆動させると、透析液導入ラインＬ１から導入される透析液量よりも透析液排出ラインＬ２から排出される液体の容量が多くなり、その多い容量分だけ血液中から水分が除去されるのである。なお、複式ポンプＰに代えて、所謂バランシングチャンバ形式のものとしてもよい。
【００２７】
ヘマトクリットセンサ１５は、透析治療過程で血液回路８を体外循環する血液の濃度（血液濃度）を時系列的に検出し得るもので、例えばＬＥＤ等の発光素子及びフォトダイオード等の受光素子を備え、発光素子から血液に所定波長の光を照射するとともに、その透過した光或いは反射した光を受光素子にて受光することにより、血液回路８内を流れて体外循環する患者の血液の濃度を示すヘマトクリット値を測定するものである。ヘマトクリット値とは、血液の濃度を示す指標であり、具体的には、全血に占める赤血球の容積率で表されるものである。
【００２８】
血液装置本体１２には、循環血液量変化率（ΔＢＶ）を検出し得るセンサとしてのブラッドボリューム計２と、患者の血圧を検出し得るセンサとしての血圧計３とが配設されている。ブラッドボリューム計２は、ヘマトクリットセンサ１５と電気的に接続されており、当該ヘマトクリットセンサ１５から送信されたヘマトクリット値（血液濃度）に基づき循環血液量変化率（ΔＢＶ）を検出し得るものである。具体的には、ヘマトクリットセンサ１５にて得られるヘマトクリット値をＨｔとおくと、循環血液量変化率ΔＢＶは、（透析開始時のＨｔ−測定時のＨｔ）／測定時のＨｔ×１００なる演算式から求めることができる。これにより、透析治療時間の経過に伴って患者の循環血液量変化率（ΔＢＶ）をリアルタイムで検出することができる。
【００２９】
なお、本実施形態においては、測定されたヘマトクリット値に基づいて循環血液量変化率（ΔＢＶ）を求めているが、これに代えて例えばヘモグロビン濃度や血清総蛋白濃度などに基づいて循環血液量変化率（ΔＢＶ）を用いてもよい。また、循環血液量変化率（ΔＢＶ）を求めるためのパラメータを測定するにあたり、光学的或いは超音波等種々形態のものを使用することができる。
【００３０】
運動手段Ｓは、血液浄化治療中（本実施形態においては透析治療中）に患者が運動を行うための手段から成り、例えばベッドに固定した下肢エルゴメータ、ベッドに固定した足踏みペダル、筋力トレーニングのためのセラバンド或いはバランスボール等から成る。なお、血液浄化治療中（本実施形態においては透析治療中）に患者が運動を行うことができれば、特定の器具等を具備する必要はなく、ストレッチや体操による運動であってもよい。
【００３１】
ここで、本実施形態に係る運動支援装置は、ブラッドボリューム計２及び血圧計３と電気的に接続された入力手段４と、判断手段５と、通知手段６と、監視手段７とを有して構成されている。入力手段４は、血液浄化治療（血液透析治療）開始後における患者の循環動態を示すパラメータを入力可能なもので、本実施形態においては、ブラッドボリューム計２で測定される患者の循環血液量変化率（ΔＢＶ）（循環血液量の変化に関わるパラメータ）、及び血圧計３で測定される患者の血圧（バイタルサインに関わるパラメータ）が入力される。
【００３２】
判断手段５は、入力手段４にて入力されたパラメータ（循環血液量変化率（ΔＢＶ）又は血圧）が安定したことを判断するものである。具体的には、判断手段５は、入力手段４に入力されたパラメータ又はそのパラメータの変化率が所定範囲内を継続的に推移したことを条件として当該パラメータが安定したと判断し、通知手段６にて運動開始タイミングを通知させ得るものである。
【００３３】
例えば、入力手段４に入力された患者の循環動態を示すパラメータが循環血液量変化率（ΔＢＶ）である場合、図４に示すように、循環血液量変化率（ΔＢＶ）の変化率αが継続的に所定範囲Ｄ内で推移したことを条件として、当該循環血液量変化率（ΔＢＶ）が安定したと判断することができる。一方、図５に示すように、循環血液量変化率（ΔＢＶ）の変化率αが継続的に所定範囲Ｄ内で推移しない場合、当該循環血液量変化率（ΔＢＶ）が安定していないと判断することができる。
【００３４】
通知手段６は、患者の状態又は治療の状態に応じて個々の血液浄化治療毎に運動開始タイミングを通知可能なもので、本実施形態においては、判断手段５による判断に基づいて運動開始タイミングを通知し得るよう構成されている。すなわち、判断手段５にて入力手段４で入力されたパラメータが安定したことを条件として、運動を開始してよい旨を通知手段６にて通知するのである。かかる通知手段６は、運動開始タイミングを表示する表示手段、或いは音声にて運動開始タイミングを報知する報知手段等何れの形態であってもよい。
【００３５】
監視手段７は、入力手段４にて入力されたパラメータ（例えば循環血液量変化率（ΔＢＶ））が安定していないと判断手段５が判断した場合、患者の状態の監視又は他のパラメータ（例えば血圧等）の監視を行うためのものである。これにより、入力手段４にて入力されたパラメータが安定していない場合の患者の容態変化等を監視することができ、安全性を確保することができる。
【００３６】
次に、本実施形態における制御内容について説明する。
図６に示すように、先ず、Ｓ１にて循環血液量変化率（ΔＢＶ）の変化率が安定しているか否かを判断手段５にて判断し、例えば図４で示すような推移の場合、当該パラメータが安定していると判断し、Ｓ２に進んで通知手段６による運動開始タイミングの通知が行われる。なお、Ｓ１によるパラメータが安定したとする判断は、循環血液量変化率（ΔＢＶ）が予め設定した閾値を下回ったことを条件としてもよい。
【００３７】
一方、Ｓ１にて循環血液量変化率（ΔＢＶ）又は循環血液量変化率（ΔＢＶ）の変化率について、例えば図５で示すような推移の場合、当該パラメータが安定していないと判断手段５にて判断し、Ｓ３に進んで監視手段７による監視（患者の状態の監視又は他のパラメータの監視）が行われるとともに、Ｓ４にて運動開始タイミングを通知しないと判断される。
【００３８】
また、入力手段４に入力された患者の循環動態を示すパラメータが血圧である場合、図７で示すような制御が行われる。この場合、Ｓ１にて血圧計３にて測定した血圧（収縮期血圧、拡張期血圧、平均血圧、脈拍等含む）が治療開始前に測定した血圧と比べて低下したか否か判断され、低下したと判断された場合は、Ｓ２にて血圧の低下の程度が安定範囲内か否か判断される。
【００３９】
Ｓ２にて血圧の低下の程度が安定範囲内であると判断されると、Ｓ３に進んで通知手段６による運動開始タイミングの通知が行われるとともに、Ｓ２にて血圧の低下の程度が安定範囲内でない（例えば、安静時より１００ｍｍＨｇ以上の低下）と判断されると、Ｓ５にて運動開始タイミングを通知しないと判断される。一方、Ｓ１にて血圧計３にて測定した血圧が治療開始前に測定した血圧と比べて低下していないと判断された場合は、Ｓ４に進んで監視手段７による監視（患者の状態の監視又は他のパラメータの監視）が行われるとともに、Ｓ５にて運動開始タイミングを通知しないと判断される。
【００４０】
しかるに、本実施形態において、入力手段４に入力される患者の循環動態を示すパラメータのうち、患者の循環血液量の変化に関わるパラメータとして循環血液量変化率（ΔＢＶ）を用い、患者のバイタルサインに関わるパラメータとして血圧を用いているが、それぞれ他のパラメータを用いるようにしてもよい。
【００４１】
また、本実施形態においては、入力手段４、判断手段５、通知手段６、監視手段７が血液透析装置１の外部に配設されているが、これらのうち特定のもの或いは全てを血液透析装置１の内部に配設するようにしてもよい。その場合、通知手段６は、血液透析装置１が具備する表示手段や音声出力手段等を流用するようにしてもよい。
【００４２】
次に、本発明に係る第２の実施形態について説明する。
本実施形態に係る運動支援装置は、上記第１の実施形態と同様、血液浄化治療中に患者が行う運動を支援し得るもので、図８に示すように、運動手段Ｓと、入力手段４と、判断手段５と、通知手段６と、監視手段７とを有するとともに、心電計１６、パルスオキシメータ１７、血流計１８及び体組成計１９で構成される検出手段Ｅを有して構成されている。なお、第１の実施形態と同様の構成要素には同一の符号を付し、それらの詳細な説明を省略する。
【００４３】
検出手段Ｅは、血液浄化治療中に行われた運動における患者のバイタルサインに関わるパラメータを検出するためのものである。そのうち、心電計１６は、心臓の拍動に伴う心筋の活動電位又は活動電流を検出するためのものである。パルスオキシメータ１７は、プローブを指先や耳等に装着して脈拍数と経皮的動脈血酸素飽和度（ＳｐＯ２）を検出するためのものである。血流計１８は、血液の流れの速さや量等を検出するためのものである。体組成計１９は、体脂肪・基礎代謝量・筋肉量など、体の組成に関する種々値を測るもので、例えば患者の体に微弱電流を流し電気抵抗を測定して体の組成に関する値を推定し得るものである。
【００４４】
本実施形態においては、心電計１６、パルスオキシメータ１７、血流計１８又は体組成計１９で得られた特定の患者のバイタルサインに関わるパラメータを患者の循環動態を示すパラメータとして入力手段４に入力可能とされており、その入力されたパラメータが安定したことを判断手段５にて判断されたことを条件として、通知手段６によって運動開始タイミングを通知可能とされている。
【００４５】
例えば、入力手段４に入力された患者の循環動態を示すパラメータが心拍数（呼吸数であってもよい）である場合、図９に示すような制御が行われる。この場合、Ｓ１にて一定時間経過するまで心拍数が上昇した後、安定したか否か判断され、一定時間経過するまで心拍数が上昇した後に安定したと判断された場合は、Ｓ２に進んで通知手段６による運動開始タイミングの通知が行われる。一方、Ｓ１にて心拍数が一定時間経過するまで上昇しない、或いは一定時間経過するまで上昇した後、安定しないと判断された場合、Ｓ３に進む。
【００４６】
そして、Ｓ３にて監視手段７による監視（患者の状態の監視又は他のパラメータの監視）が行われるとともに、Ｓ４にて運動開始タイミングを通知しないと判断される。なお、除水開始しても心拍数が上昇しない場合、他のパラメータを併用して運動開始タイミングを判断するようにしてもよい。また、一定時間経過後に心拍数が著しく上昇又は下降した場合、明らかなＳＴ−Ｔ変化（心筋虚血を示す変化等）、発作性心房細動、心室性期外収縮頻発、ＲｏｎＴ型心室性期外収縮、或いは心室頻拍の出現等がある場合は、運動開始タイミングを通知しないと判断するのが好ましい。
【００４７】
さらに、例えば入力手段４に入力された患者の循環動態を示すパラメータが酸素飽和度（末梢の循環状態を反映すると考えられている脈波振幅であってもよい）である場合、図１０に示すような制御が行われる。この場合、Ｓ１にて一定時間経過するまで酸素飽和度が上昇した後、安定したか否か判断され、一定時間経過するまで酸素飽和度が上昇した後に安定したと判断された場合は、Ｓ２に進んで通知手段６による運動開始タイミングの通知が行われる。
【００４８】
一方、Ｓ１にて酸素飽和度が一定時間経過するまで上昇しない、或いは一定時間経過するまで酸素飽和度が上昇した後、安定しないと判断された場合、Ｓ３に進む。そして、Ｓ３にて監視手段７による監視（患者の状態の監視又は他のパラメータの監視）が行われるとともに、Ｓ４にて運動開始タイミングを通知しないと判断される。なお、除水を行うことで脈波振幅が低下する傾向がみられるため、脈波振幅が一定値を下回ったところで運動開始タイミングを通知するようにしてもよい。
【００４９】
次に、本発明に係る第３の実施形態について説明する。
本実施形態に係る運動支援装置は、上記第１、２の実施形態と同様、血液浄化治療中に患者が行う運動を支援し得るもので、図１１に示すように、運動手段Ｓと、入力手段４と、判断手段５と、通知手段６と、監視手段７とを有するとともに、入力手段４は、血液透析装置１内に配設された透析量モニタ２０と電気的に接続されて構成されている。なお、第１、２の実施形態と同様の構成要素には同一の符号を付し、それらの詳細な説明を省略する。
【００５０】
透析量モニタ２０は、透析装置本体１２内における透析液排出ラインＬ２（図３参照）に配設され、血液浄化治療に伴って排出されたダイアライザ９からの排液の濃度（例えば排液中の尿素濃度）を検出することにより、Ｋｔ／Ｖ（標準化透析量）を監視し得るものである。なお、Ｋｔ／Ｖは、以下の演算式にて求められる。
【００５１】
標準化透析量（Ｋｔ／Ｖ）＝−ｌｎ（Ｃ（ｅ）／Ｃ（ｓ）−０．００８ｔ）＋（４−３．５×Ｃ（ｅ）／Ｃ（ｓ））×（ＶＵＦ／ＤＷ）
但し、Ｃ（ｓ）は血液透析治療開始時における尿素窒素濃度（初期値）、Ｃ（ｅ）は現時点（監視時点）における尿素窒素濃度、ＶＵＦは除水量、ＤＷは患者のドライウェイト、Ｋはクリアランス、ｔは透析治療経過時間、Ｖは尿素分布体積を示している。
【００５２】
本実施形態においては、透析量モニタ２０で得られた排液濃度を治療の状態を示すパラメータとして入力手段４に入力可能とされており、その入力されたパラメータが安定したことを判断手段５にて判断されたことを条件として、通知手段６によって運動開始タイミングを通知可能とされている。例えば、図１２に示すように、透析量モニタ２０で測定される排液濃度が所定範囲Ｄ内を継続的に推移（特に、本実施形態においては、時間Ｔ１から時間Ｔ２までの間に所定範囲Ｄ内で推移）した場合、判断手段５にてパラメータが安定したと判断するとともに、図１３に示すように、排液濃度が所定範囲Ｄ内を継続的に推移しない（特に、本実施形態においては、時間Ｔ１から時間Ｔ２までの間に所定範囲内で推移しない）場合、判断手段５にてパラメータが安定しないと判断するようになっている。
【００５３】
上記実施形態によれば、患者の状態又は治療の状態に応じて個々の血液浄化治療毎に運動開始タイミングを通知可能な通知手段６を具備したので、患者の状態又は治療の状態に応じて血液浄化治療中における運動を適切なタイミングで開始させることができる。特に、上記第１及び第２の実施形態によれば、血液浄化治療開始後における患者の循環動態を示すパラメータを入力可能な入力手段４と、該入力手段４にて入力されたパラメータが安定したことを判断する判断手段５とを具備し、通知手段６は、判断手段５による判断に基づいて運動開始タイミングを通知し得るので、より適切なタイミングで運動を開始させることができる。
【００５４】
また、本実施形態に係る判断手段５は、入力手段４に入力されたパラメータ又はそのパラメータの変化率が所定範囲内を継続的に推移したことを条件として当該パラメータが安定したと判断し、通知手段６にて運動開始タイミングを通知させ得るので、運動開始タイミングを的確に通知することができる。さらに、入力手段４に入力されるパラメータは、患者の循環血液量の変化に関わるパラメータ（循環血液量変化率（ΔＢＶ）等）、患者のバイタルサインに関わるパラメータ（血圧等）、又は血液浄化治療に関わるパラメータ（排液濃度等）から成るので、運動開始タイミングをより的確に通知することができる。
【００５５】
またさらに、第１の実施形態及び第３の実施形態によれば、入力手段４に入力されるパラメータは、血液浄化治療を行うための血液浄化装置に備えられたセンサ（ブラッドボリューム計２、血圧計３、透析液モニタ２０等）にて検出されるので、治療のためのセンサを流用して運動開始タイミングの通知を行わせることができる。また、第２の実施形態によれば、患者のバイタルサインに関わるパラメータを検出するための検出手段Ｅを具備したので、運動開始タイミングを通知する際、患者の状態をより的確に把握させることができる。
【００５６】
以上、本実施形態に係る運動支援装置について説明したが、本発明はこれに限定されるものではなく、例えば、第１の実施形態において、患者の循環血液量の変化に関わるパラメータとして循環血液量変化率を用いているが、これに代えて或いはこれと共に、血液浄化治療中に継続的に測定可能なプラズマリフィリングレート（ＰＲＲ）を用いるようにしてもよい。かかるプラズマリフィリングレート（ＰＲＲ）は、血液透析装置１のブラッドボリューム計２を利用して以下の演算式にて算出することができる。ただし、患者の循環血液量を治療前の体重の１／１３と仮定して算出している。
【００５７】
ＰＲＲ＝（測定区間の除水量＋測定区間の循環血液量増加量）／測定区間の時間
測定区間の循環血液量増加量＝循環血液量×測定区間のΔＢＶ変化率
循環血液量＝治療前の体重／１３
【００５８】
このプラズマリフィリングレート（ＰＲＲ）を患者の循環血液の変化に関わるパラメータとして入力手段４に入力した場合、その入力されたプラズマリフィリングレート（ＰＲＲ）が安定したことを判断手段５にて判断されたことを条件として、通知手段６により運動開始タイミングが通知されることとなる。
【００５９】
またさらに、通知手段６による運動開始タイミングの通知の条件として、患者の状態又は治療の状態が所定条件を満たすものであれば足り、例えばカメラにより撮像された患者の様子の画像、体温計により測定された患者の体温、センサにより測定された患者の発汗量が所定条件を満たすことを条件としてもよい。なお、本実施形態においては、血液透析治療を行う血液透析装置１に適用されているが、他の血液浄化治療を行う血液浄化装置に適用するようにしてもよい。
【産業上の利用可能性】
【００６０】
患者の状態又は治療の状態に応じて個々の血液浄化治療毎に運動開始タイミングを通知可能な通知手段を具備した運動支援装置であれば、他の機能が付加されたもの等にも適用することができる。
【符号の説明】
【００６１】
１  血液透析装置（血液浄化装置）
２  ブラッドボリューム計
３  血圧計
４  入力手段
５  判断手段
６  通知手段
７  監視手段
８  血液回路
９  ダイアライザ
１０  血液ポンプ
１１  エアトラップチャンバ
１２  透析装置本体
１３  透析液供給装置
１４  除水ポンプ
１５  ヘマトクリットセンサ
１６  心電計
１７  パルスオキシメータ
１８  血流計
１９  体組成計
２０  透析液モニタ
Ｓ  運動手段
Ｅ  検出手段
【図１】
2018089249.tif 000003
【図２】
2018089249.tif 000004
【図３】
2018089249.tif 000005
【図４】
2018089249.tif 000006
【図５】
2018089249.tif 000007
【図６】
2018089249.tif 000008
【図７】
2018089249.tif 000009
【図８】
2018089249.tif 000010
【図９】
2018089249.tif 000011
【図１０】
2018089249.tif 000012
【図１１】
2018089249.tif 000013
【図１２】
2018089249.tif 000014
【図１３】
2018089249.tif 000015